(57)【要約】【課題】挿抜ハンドルが挿抜ハンドル挿入口に挿入された状態では、機能ユニットの配線用遮断器の操作ハンドルをオン状態にすることができず、また、操作ハンドルがオン状態では、機能ユニットを機能ユニット収納スペースから取り出すことができないよう安全性を向上させた機能ユニットのインターロック機構を得る。【解決手段】配線用遮断器のオン、オフ状態を切替える操作ハンドル１８に連結された操作ハンドル機構１７に連動して挿抜防止体１４に対して移動可能に設けられた左通塞継手１９、右通塞継手２０を有し、左通塞継手１９、右通塞継手２０の移動が挿抜防止体１４の位置によって阻止される。
2018138881.tif 000002
【特許請求の範囲】
【請求項１】
コントロールセンタにおける機能ユニット収納スペースの仕切板の上に収納され、配線用遮断器が装備された機能ユニットに設けられており、前記機能ユニットを挿抜する挿抜ハンドルを挿入するための挿抜ハンドル挿入口と、前記配線用遮断器をオン、オフする操作ハンドル機構のオン状態のとき前記挿抜ハンドルの前記挿抜ハンドル挿入口への挿入を阻止する挿抜防止体とを有した機能ユニットのインターロック機構において、
前記配線用遮断器のオン、オフ状態を切替える操作ハンドルに連結された前記操作ハンドル機構に連動して前記挿抜防止体に対して移動可能に設けられた通塞体を備え、
前記通塞体の移動が前記挿抜防止体の位置によって阻止されることを特徴とする機能ユニットのインターロック機構。
【請求項２】
前記通塞体は、前記操作ハンドルがオフ位置状態であって前記挿抜防止体が前記挿抜ハンドル挿入口を開放している場合、前記操作ハンドルのオン位置方向への操作に対し、前記挿抜防止体に接触して移動が阻止されることを特徴とする請求項１に記載の機能ユニットのインターロック機構。
【請求項３】
前記通塞体は、前記操作ハンドルがオフ位置状態であって、前記挿抜防止体が前記挿抜ハンドルの挿入を阻止する位置にある場合、前記挿抜防止体による移動阻止が解除されることを特徴とする請求項１に記載の機能ユニットのインターロック機構。
【請求項４】
前記通塞体は、前記操作ハンドルがオン位置状態であって、前記挿抜防止体が前記挿抜ハンドルの挿入を阻止する位置にある場合、前記挿抜防止体による移動阻止が解除されており、前記挿抜防止体は、前記操作ハンドルのオフ位置への操作に応じて移動可能であることを特徴とする請求項１に記載の機能ユニットのインターロック機構。
【請求項５】
前記通塞体は、前記操作ハンドルがオン位置状態であって、前記機能ユニットが前記コントロールセンタの本体に収納される場合、収納スペースの前記仕切板の側部によって、コントロールセンタの本体側の回路接続部と機能ユニット側の回路接続部が必要な電気絶縁距離を有して移動が阻止されることを特徴とする請求項１に記載の機能ユニットのインターロック機構。
【請求項６】
前記通塞体は、前記操作ハンドルがオン位置状態からオフ位置状態に操作された場合、前記収納スペースの仕切板の側部による移動阻止が解除され、コントロールセンタの本体側の回路接続部と機能ユニット側の回路接続部が接続されるまでは、前記収納スペースの前記仕切板の上面側に位置しており、前記操作ハンドルのオン位置への移動が阻止されることを特徴とする請求項５に記載の機能ユニットのインターロック機構。
【請求項７】
前記収納スペースの仕切板の上面に設けられ前記仕切板と前記通塞体との間に配置された座を備えたことを特徴とする請求項６に記載の機能ユニットのインターロック機構。
【発明の詳細な説明】
【技術分野】
【０００１】
本発明は、機能ユニットのインターロック機構に関し、特にモータコントロールセンタにおける機能ユニットの出し入れを安全に行うための、配線用遮断器の操作ハンドル機構に適したインターロック機構に関するものである。
【背景技術】
【０００２】
ＪＥＭ−１１９５（ＪＥＭ：日本電機工業会規格）には、モータコントロールセンタの機能ユニットとは、所定の機能を行うために必要な主回路及び補助回路の機器を備えたモータコントロールセンタの一回路構成単位と規定されている。この機能ユニット内には、通常、短絡時の電流を安全に遮断する目的で、配線用遮断器が搭載されている。この配線用遮断器には、配線用遮断器がオンの状態で機能ユニットを挿抜できなくするためインターロック機能を持たせた操作ハンドルが取付けられている。【０００３】
機能ユニットおよびモータコントロールセンタ本体盤の回路接続が接点接続の場合、互いの接続部同士を噛み込ませる、もしくは、引き外す際に過大な力を要するため、通常、機能ユニットは専用の挿抜ハンドルにより「てこの原理」を用いて挿抜操作を行う。【０００４】
特許文献１におけるコントロールセンタは、図１８に示すように、モータコントロールセンタ本体盤の機能ユニット収納スペースの仕切板１０１の上に収納され、かつ、配線用遮断器が装備される機能ユニットを備えたモータコントロールセンタにおいて、配線用遮断器のオンおよびオフの状態を手動で切り替えるための操作ハンドル１０２、この操作ハンドル１０２を有した操作ハンドル機構１０３、挿抜ハンドルを挿入するための挿抜ハンドル挿入口１０４、機能ユニット内への挿抜ハンドルの挿入を防ぐために操作ハンドル機構１０３に連結された挿入防止板１０５が設けられている。挿入防止板１０５は、配線用遮断器がオン状態のとき、即ち、操作ハンドル１０２がオン位置にあって、操作ハンドル機構１０３に連動して図１８に示すように挿抜ハンドル挿入口１０４の一部を遮るよう下がっており、挿抜ハンドルが挿抜ハンドル挿入口１０４へ挿入されるのを防止するものである。配線用遮断器がオフ状態のときには、図１９に示すように、挿入防止板１０５が上昇するため、挿抜ハンドル１０６の挿抜ハンドル挿入口１０４への挿入を可能とする。【０００５】
図１９に示すように、挿抜ハンドル１０６は第１突起体１０７、第２突起体１０８および平板１０９によって構成されており、それぞれ支点、力点の役目を果たす。図２０に示すように、第２突起体１０８を機能ユニット構成部品の挿抜用金具に有する第２突起体係合長穴１１１に嵌め込み、また第１突起体１０７をモータコントロールセンタ本体盤の機能ユニット収納スペースの仕切板１０１に有する第１突起体係合穴１１０に嵌め込むことで、挿抜ハンドル１０６が第２突起体係合長穴１１１および第１突起体係合穴１１０に係合され、挿抜操作ができる状態となる。【０００６】
また、特許文献１におけるコントロールセンタは、図２１のように、挿抜ハンドル１０６が挿抜ハンドル挿入口１０４に挿入された状態では、操作ハンドル１０２を右方向に回転させてオン位置へ操作しようとしても操作ハンドル機構１０３に連結された挿入防止板１０５が挿抜ハンドル１０６に接触し、配線用遮断器のオン操作ができないようになっている。
【先行技術文献】
【特許文献】
【０００７】
【特許文献１】国際公開第２０１６／１５７９８９号
【発明の概要】
【発明が解決しようとする課題】
【０００８】
従来のコントロールセンタにおいては、挿抜ハンドル１０６は、図１９のとおり、平板から下方向に第１突起体１０７、第２突起体１０８が突き出た構造となっている。また、図１９のように、挿抜ハンドル１０６を機能ユニットの正面方向から挿抜ハンドル挿入口１０４に挿入し、その後、第１突起体１０７を第１突起体係合長穴１１０へ、第２突起体１０８を第２突起体係合長穴１１１へ下方向に嵌め込む必要がある。したがって、係合のための係合しろ分、挿抜ハンドル１０６が下方向に下がり、配線用遮断器がオフ状態であるときの挿入防止板１０５および挿抜ハンドル１０６の間には、この係合しろ分に相当する隙間生じるため、図２１で示すように、挿抜ハンドル１０６が挿抜ハンドル挿入口１０４に挿入された状態で、操作ハンドル機構１０３に連結された挿入防止板１０５が挿抜ハンドル１０６に接触するまでは、配線用遮断器がオン状態となる方向に操作ハンドル１０２がある程度回転する。【０００９】
例えば、操作ハンドル１０２を回転操作する際の挿入防止板１０５の上下方向の移動量を長くとる必要のある構造の機能ユニット、また、第１突起体１０７、もしくは、第２突起体１０８の上下方向の寸法が長い挿抜ハンドルを使う必要がある場合など、特許文献１で例に挙げられている構造の機能ユニット以外の機能ユニット、または、挿抜ハンドルで、前述のインターロック構造を流用する場合、流用先の機能ユニットの構造次第では、挿抜ハンドル１０６が挿抜ハンドル挿入口１０４に挿入された状態で、配線用遮断器がオン状態にできる恐れがある。【００１０】
本発明は、機能ユニットのインターロック機構を、構造の異なる機能ユニットで流用する場合において、挿抜ハンドルが挿抜ハンドル挿入口に挿入された状態で、配線用遮断器をオン状態になることを防ぐことができるインターロック機構を得ることを目的とするものである。
【課題を解決するための手段】
【００１１】
本発明に係る機能ユニットのインターロック機構は、コントロールセンタにおける機能ユニット収納スペースの仕切板の上に収納され、配線用遮断器が装備された機能ユニットに設けられており、機能ユニットを挿抜する挿抜ハンドルを挿入するための挿抜ハンドル挿入口と、配線用遮断器をオン、オフする操作ハンドル機構のオン状態のとき挿抜ハンドルの挿抜ハンドル挿入口への挿入を阻止する挿抜防止体とを有したものにおいて、配線用遮断器のオン、オフ状態を切替える操作ハンドルに連結された操作ハンドル機構に連動して挿抜防止体に対して移動可能に設けられた通塞体を備え、通塞体の移動が挿抜防止体の位置によって阻止されるものである。
【発明の効果】
【００１２】
本発明によれば、構造の異なる様々な機能ユニットにおいて、配線用遮断器がオン状態で機能ユニットの挿抜を防ぐのはもちろんのこと、挿抜ハンドルが挿抜ハンドル挿入口に挿入された状態での、配線用遮断器がオン状態となる方向への操作ハンドルの移動を抑制し、配線用遮断器がオン状態となることを確実に防ぐことができる。
【図面の簡単な説明】
【００１３】
【図１】本発明に係る実施の形態１における機能ユニットとインターロック機構を示す正面図である。
【図２】図１におけるＺ−Ｚ線での断面図である。
【図３】図１におけるＹ１−Ｙ１線での断面図である。
【図４】図１におけるＹ２−Ｙ２線での断面図である。
【図５】本発明に係る実施の形態１における機能ユニットとインターロック機構の他の状態を示す正面図である。
【図６】図５におけるＺ−Ｚ線における断面図である。
【図７】本発明に係る実施の形態１における機能ユニットとインターロック機構の他の状態を示す正面図である。
【図８】図７におけるＹ１−Ｙ１線での断面図である。
【図９】図７におけるＹ２−Ｙ２線での断面図である。
【図１０】本発明に係る実施の形態１における機能ユニットの他の状態を示す機能ユニットの上面図である。
【図１１】図１０におけるＹ１−Ｙ１線での断面図である。
【図１２】図１０におけるＹ２−Ｙ２線での断面図である。
【図１３】本発明に係る実施の形態１における機能ユニットの他の状態を示す機能ユニットの上面図である。
【図１４】図１３におけるＹ１−Ｙ１線での断面図である。
【図１５】図１３におけるＹ２−Ｙ２線での断面図である。
【図１６】本発明に係る実施の形態２における機能ユニットの左側断面を示す断面図である。
【図１７】本発明に係る実施の形態２における機能ユニットの右側断面を示す断面図である。
【図１８】従来技術に係る機能ユニットの一部分を示す部分正面図であって、配線用遮断器がオン状態での挿抜防止板および挿抜ハンドル挿入口の様子を示している。
【図１９】従来技術に係る機能ユニットの一部を示す正面図であって、配線用遮断器がオフ状態で挿抜ハンドルが挿抜ハンドル挿入口に挿入される様子を示している。
【図２０】図１９の状態から挿抜ハンドルが仕切板に係合される様子を示す部分正面図である。
【図２１】従来技術に係る機能ユニットの一部分を示す正面図であって、図２０の状態から操作ハンドルを操作させたときの挿抜防止板および挿抜ハンドルの位置関係を示している。
【発明を実施するための形態】
【００１４】
本発明の実施の形態について図面を参照して説明するが、各図において、同一符号は、同一または相当部分を示している。
【００１５】
実施の形態１.
本発明における実施の形態１を図１から図１５を用いて説明する。図１は、モータコントロールセンタ本体盤に設けられた機能ユニット収納スペースの仕切板１１の上に収納され、配線用遮断器および機能ユニットインターロック機構が装備された機能ユニット１０の正面図である。図２は図１のＺ−Ｚ線における断面、図３および図４は図１のＹ１−Ｙ１線およびＹ２−Ｙ２線における断面を示している。
【００１６】
機能ユニットインターロック機構は、配線用遮断器のオンおよびオフの状態を手動で切り替えるための操作ハンドル１８を有した操作ハンドル機構１７に、左通塞体である左通塞継手１９および右通塞体である右通塞継手２０が取り付けられた構造となっている。左通塞継手１９および右通塞継手２０にそれぞれ設けられた誘導長穴２１を貫通する位置に誘導金具２２が配置されている。機能ユニット１０の前面には、機能ユニット１０内への挿抜ハンドルの出し入れを行うための挿抜ハンドル挿入口１３を有した表板１２が取り付けられている。挿抜ハンドルは挿抜ハンドル挿入口１３からのみ機能ユニット１０内部へアクセスが可能となっている。挿抜ハンドル挿入口１３の奥側に、正面左右方向にスライド操作可能な挿抜防止体である挿抜防止板１４が支持金具１５によって支持されている。支持金具１５は固定金具１６、固定金具１６は機能ユニット１０の底板２３にそれぞれ固定されている。更に奥側に、挿抜ハンドル挿入口１３に挿入される挿抜ハンドルから機能ユニット１０内部を保護するための挿抜室外被２４が取り付けられており、前記誘導金具２２は挿抜室外被２４に取り付けられている。
【００１７】
図１０は、配線用遮断器がオン状態の機能ユニット１０をコントロールセンタ本体盤外から挿入した際の機能ユニット１０の上面図であり、図１１および図１２は図１０におけるＹ１−Ｙ１線およびＹ２−Ｙ２線での断面図である。図１３は、  前述の挿入動作が停止される位置から、さらにコントロールセンタ本体盤側へ挿入され、かつ、コントロールセンタ本体側であるコントロールセンタ本体盤側の回路接続部２５および機能ユニット側の回路接続部２６が完全に噛み込でない状態での機能ユニットの上面図であり、図１４および図１５は、図１３におけるＹ１−Ｙ１線およびＹ２−Ｙ２線での断面図である。
【００１８】
図１のように、配線用遮断器がオフ状態、かつ、挿抜ハンドル挿入口１３が開放状態となるよう挿抜防止板１４が正面左方向にスライドされている状態では、図２および図３に示す接触部Ａにおいて、挿抜防止板１４が左通塞継手１９の下降する経路を塞ぐ位置にあるため、配線用遮断器がオン状態となるよう操作ハンドル１８を回転させようとしても、左通塞継手１９の移動が挿抜防止板１４によって阻止され、配線用遮断器をオン状態にすることができない。加えて、図３の接触部Ａに示す左通塞継手１９および挿抜防止板１４の互いの隙間を小さくしくおくことで、操作ハンドル１８を回転させようとすると、すぐさま左通塞継手１９が挿抜防止板１４に接触するため、  挿抜ハンドル挿入口１３が開放されて挿抜ハンドルが挿抜ハンドル挿入口１３に挿入可能な状態で、配線用遮断器をオン状態にしようとするときの操作ハンドル１８の回転量を抑制することができる。
【００１９】
図５は配線用遮断器がオフ状態、かつ、挿抜ハンドル挿入口１３が閉鎖されるよう挿抜防止板１４が正面右方向にスライドされている状態の機能ユニット１０の正面図で、図６は図５のＺ−Ｚ線での断面を示している。図５に示す接触部Ａにおいて、挿抜防止板１４は左通塞継手１９の下降する経路を避ける位置になるため、この状態で、図７および図８、図９のように、配線用遮断器がオフ状態からオン状態となる方向に操作ハンドル１８を回転させると、左通塞継手１９および右通塞継手２０が下降し、配線用遮断器がオン状態になる仕組みとなっている。
この状態では、左通塞継手１９が挿抜防止板１４のスライド経路を塞ぐ位置となり、また、左通塞継手１９および挿抜防止板１４を互いの隙間が小さくなるよう配置することで、挿抜ハンドル挿入口１３が開放されるように挿抜防止板１４を正面左方向にスライドさせようとしても、挿抜防止板１４は、すぐさま左通塞継手１９に接触し、配線用遮断器がオン状態での、挿抜ハンドルの挿抜ハンドル挿入口１３への挿入を防ぐことができる。配線用遮断器をオン状態からオフ状態とし、機能ユニット１０を抜去したいときは、前述と逆の手順で操作することで可能となる。また、誘導金具２２により、左通塞継手１９および右通塞継手２０は安定して動作するようになっている。
また、挿抜防止板１４により、挿抜ハンドル挿入口１３が半分以上覆われるため、従来技術に比べて、挿抜できる状態かそうでない状態かが分かり易くなっている。
【００２０】
図１０および図１１、図１２で示すように、配線用遮断器がオン状態で、  機能ユニット１０をコントロールセンタ本体盤外から挿入した際、コントロールセンタ本体盤側の回路接続部２５および機能ユニット側の回路接続部２６の距離が必要な電気絶縁距離以上となるよう、つまり、この電気絶縁距離以上を満たす位置で機能ユニット１０の挿入動作が停止されるように、配線用遮断器がオン状態で、左通塞継手１９および右通塞継手２０の板厚面が仕切板１１と接触する構造となっている。
【００２１】
図１３および図１４、図１５で示すように、配線用遮断器がオフ状態で、前述の挿入動作が停止される位置から、更に機能ユニットをコントロールセンタ本体盤側へ挿入され、かつ、コントロールセンタ本体盤側の回路接続部２５および機能ユニット側の回路接続部２６が完全に噛み込まない状態において、配線用遮断器がオン状態とならないよう、左通塞継手１９および右通塞継手２０の下端が仕切板１１に接触する構造となっており、接触して以降は、操作ハンドル１８を回転させることはできない。
【００２２】
このように、実施の形態１においては、配線用遮断器がオフ状態のとき、挿抜ハンドルを挿抜ハンドル挿入口１３へ挿入可能とし、配線用遮断器をオン状態にできず、配線用遮断器をオン状態にするときの操作ハンドル１８の回転量を抑制する。配線用遮断器がオン状態のとき、挿抜ハンドルの挿抜ハンドル挿入口１３への挿入を防止する。また、誘導金具２２により、左通塞継手１９および右通塞継手２０は安定して動作する。加えて、配線用遮断器がオン状態で、機能ユニット１０をコントロールセンタ本体盤外から挿入した場合、コントロールセンタ本体盤側の回路接続部２５および機能ユニット側の回路接続部２６の距離が必要な電気絶縁距離以上となる位置で機能ユニット１０の挿入動作は停止される。更に、配線用遮断器がオフ状態で、前述の挿入動作が停止される位置から、更にコントロールセンタ本体盤側へ挿入され、かつ、コントロールセンタ本体盤側の回路接続部２５および機能ユニット側の回路接続部２６が完全に噛み込まない状態において、配線用遮断器はオン状態とならない。
【００２３】
実施の形態２．
本発明における実施の形態２を図１６および図１７を用いて説明する。基本的な構成および作用効果は、前述した実施の形態１における構成および作用効果と同様であるが、図１６に示すように、仕切板１１の上に座２７を設けている。
【００２４】
図１３、図１４および図１５の状態となるとき、図３および図４で示すように、配線用遮断器がオフ時の左通塞継手１９および右通塞継手２０の下端ならびに仕切板１１の距離分だけ、左通塞継手１９および右通塞継手２０は下降するため、操作ハンドル１８はある程度回転してしまう。図１６、図１７に示すように、左通塞継手１９もしくは右通塞継手２０の下に座２７を設けることで、左通塞継手１９もしくは右通塞継手２０の下端が、より早い段階で座２７に接触するため、操作ハンドル１８の回転量を抑制することができる。
【００２５】
前記の通り、実施の形態２においては、図１６および図１７に示すように、図１４および図１５の状態に比べて操作ハンドル１８の回転量を抑制することができる。
【００２６】
本発明は、その発明の範囲内において、各実施の形態を自由に組み合わせたり、各実施の形態を適宜、変更、省略したりすることができる。
【符号の説明】
【００２７】
１０  機能ユニット、１１  仕切板、１３  挿抜ハンドル挿入口、１４  挿抜防止板、１７  操作ハンドル機構、１８  操作ハンドル、１９  左通塞継手、２０  右通塞継手、２５  回路接続部、２６  回路接続部、２７  座  
【図１】
2018138881.tif 000003
【図２】
2018138881.tif 000004
【図３】
2018138881.tif 000005
【図４】
2018138881.tif 000006
【図５】
2018138881.tif 000007
【図６】
2018138881.tif 000008
【図７】
2018138881.tif 000009
【図８】
2018138881.tif 000010
【図９】
2018138881.tif 000011
【図１０】
2018138881.tif 000012
【図１１】
2018138881.tif 000013
【図１２】
2018138881.tif 000014
【図１３】
2018138881.tif 000015
【図１４】
2018138881.tif 000016
【図１５】
2018138881.tif 000017
【図１６】
2018138881.tif 000018
【図１７】
2018138881.tif 000019
【図１８】
2018138881.tif 000020
【図１９】
2018138881.tif 000021
【図２０】
2018138881.tif 000022
【図２１】
2018138881.tif 000023
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
コントロールセンタにおける機能ユニット収納スペースの仕切板の上に収納され、配線用遮断器が装備された機能ユニットに設けられており、前記機能ユニットを挿抜する挿抜ハンドルを挿入するための挿抜ハンドル挿入口と、前記配線用遮断器をオン、オフする操作ハンドル機構のオン状態のとき前記挿抜ハンドルの前記挿抜ハンドル挿入口への挿入を阻止する挿抜防止体とを有した機能ユニットのインターロック機構において、
前記配線用遮断器のオン、オフ状態を切替える操作ハンドルに連結された前記操作ハンドル機構に連動して前記挿抜防止体に対して移動可能に設けられた通塞体を備え、
前記通塞体の移動が前記挿抜防止体の位置によって阻止され、前記通塞体は、前記操作ハンドルがオン位置状態であって、前記機能ユニットが前記コントロールセンタの本体に収納される場合、収納スペースの前記仕切板によって、コントロールセンタの本体側の回路接続部と機能ユニット側の回路接続部が必要な電気絶縁距離を有して移動が阻止されることを特徴とする機能ユニットのインターロック機構。
【請求項２】
前記通塞体は、前記操作ハンドルがオン位置状態であって、前記挿抜防止体が前記挿抜ハンドルの挿入を阻止する位置にある場合、前記挿抜防止体による移動阻止が解除されており、前記挿抜防止体は、前記操作ハンドルのオフ位置への操作に応じて移動可能であることを特徴とする請求項１に記載の機能ユニットのインターロック機構。
【請求項３】
前記通塞体は、前記操作ハンドルがオン位置状態からオフ位置状態に操作された場合、前記収納スペースの仕切板による移動阻止が解除され、コントロールセンタの本体側の回路接続部と機能ユニット側の回路接続部が接続されるまでは、前記収納スペースの前記仕切板の上面側に位置しており、前記操作ハンドルのオン位置への移動が阻止されることを特徴とする請求項１に記載の機能ユニットのインターロック機構。
【請求項４】
前記収納スペースの仕切板の上面に設けられ前記仕切板と前記通塞体との間に配置された座を備えたことを特徴とする請求項３に記載の機能ユニットのインターロック機構。
【手続補正２】
【補正対象書類名】明細書
【補正対象項目名】００１１
【補正方法】変更
【補正の内容】
【００１１】
本発明に係る機能ユニットのインターロック機構は、コントロールセンタにおける機能ユニット収納スペースの仕切板の上に収納され、配線用遮断器が装備された機能ユニットに設けられており、機能ユニットを挿抜する挿抜ハンドルを挿入するための挿抜ハンドル挿入口と、配線用遮断器をオン、オフする操作ハンドル機構のオン状態のとき挿抜ハンドルの挿抜ハンドル挿入口への挿入を阻止する挿抜防止体とを有したものにおいて、配線用遮断器のオン、オフ状態を切替える操作ハンドルに連結された操作ハンドル機構に連動して挿抜防止体に対して移動可能に設けられた通塞体を備え、通塞体の移動が挿抜防止体の位置によって阻止され、通塞体は、操作ハンドルがオン位置状態であって、機能ユニットがコントロールセンタの本体に収納される場合、収納スペースの仕切板によって、コントロールセンタの本体側の回路接続部と機能ユニット側の回路接続部が必要な電気絶縁距離を有して移動が阻止されるものである。
【手続補正３】
【補正対象書類名】明細書
【補正対象項目名】００１２
【補正方法】変更
【補正の内容】
【００１２】
本発明によれば、構造の異なる様々な機能ユニットにおいて、配線用遮断器がオン状態で機能ユニットの挿抜を防ぐのはもちろんのこと、挿抜ハンドルが挿抜ハンドル挿入口に挿入された状態での、配線用遮断器がオン状態となる方向への操作ハンドルの移動を抑制し、配線用遮断器がオン状態となることを確実に防ぐことができる。また、配線用遮断器がオン状態で、機能ユニットをコントロールセンタ本体盤外から挿入した際、コントロールセンタ本体盤側の回路接続部および機能ユニット側の回路接続部の距離が必要な電気絶縁距離以上となる位置で機能ユニットの挿入動作は停止されるので、常に必要な電気絶縁距離が確保される。
【国際調査報告】
2018138881.tif 000024
2018138881.tif 000025
2018138881.tif 000026
2018138881.tif 000027